(57)【要約】【課題】横電界型の液晶装置でありながら静電気に起因した表示品質の低下を防止でき、しかも反射光の発生に起因した表示品質の低下をも防止できる液晶装置を提供する。【解決手段】液晶層９を挟持した第１基板５ａ及び第２基板６ａと、第１基板５ａ側に設けられた第１偏光層１５ａと、第２基板６ａ側に設けられた第２偏光層１５ｂと、第２基板６ａの液晶層９側の面上において層間絶縁膜１９，２９を挟んで設けられた共通電極３２及び画素電極３４と、第１偏光層１５ａと液晶層９との間に設けられた導電層４０と、第１偏光層１５ａと導電層４０との間に設けられた第１位相差層４１と、導電層４０と液晶層９との間に設けられた第２位相差層３９とを有する液晶装置である。導電層４０で静電気を逃がし、第１位相差層４１で導電層４０での光反射を防止し、第２位相差層３９で第１位相差層４１における光量低下を防止する。【選択図】図１
2008083492.tif 000002
【特許請求の範囲】
【請求項１】
液晶層を挟持した第１基板及び第２基板と、
前記第１基板側に設けられた第１偏光層と、
前記第２基板側に設けられた第２偏光層と、
前記第２基板の液晶層側の面上において層間絶縁膜を挟んで設けられた共通電極及び画素電極と、
前記第１偏光層と前記液晶層との間に設けられた導電層と、
前記第１偏光層と前記導電層との間に設けられた第１位相差層と、
前記導電層と前記液晶層との間に設けられた第２位相差層と、
を有することを特徴とする液晶装置。
【請求項２】
請求項１記載の液晶装置において、前記第１位相差層は前記導電層の表面に接して設けられることを特徴とする液晶装置。
【請求項３】
請求項１又は請求項２記載の液晶装置において、前記第１位相差層の光学軸と前記第２位相差層の光学軸は直交することを特徴とする液晶装置。
【請求項４】
請求項３記載の液晶装置において、
前記第１偏光層の透過軸と前記第１位相差層の光学軸の成す角度は４５°であり、
前記第２偏光層の透過軸と前記第２位相差層の光学軸の成す角度は４５°である
ことを特徴とする液晶装置。
【請求項５】
請求項１から請求項４のいずれか１つに記載の液晶装置において、前記第１基板の液晶層と反対側の面上に前記第２位相差層が設けられ、該第２位相差層に接して前記導電層が設けられ、該導電層に接して前記第１位相差層が設けられることを特徴とする液晶装置。
【請求項６】
請求項５記載の液晶装置において、前記導電層と前記第２基板は互いに導電接続されることを特徴とする液晶装置。
【請求項７】
請求項１から請求項４のいずれか１つに記載の液晶装置において、前記第１基板の液晶層と反対側の面に接して前記導電層が設けられ、該導電層に接して前記第１位相差層が設けられ、前記第１基板と前記液晶層との間に前記第２位相差層が設けられることを特徴とする液晶装置。
【請求項８】
請求項７記載の液晶装置において、前記第１基板の液晶側の面上に設けられた着色膜の層と、該着色膜の層を覆うオーバーコート層とをさらに有し、前記第２位相差層は前記オーバーコート層の液晶層側の面に接して設けられることを特徴とする液晶装置。
【請求項９】
液晶層を挟持した第１基板及び第２基板を有し、第２基板上に設けられた一対の電極間に電界を形成し、この電界によって前記液晶層内の液晶分子の配向を制御する液晶装置において、
前記第１基板側に設けられ直線偏光を透過させ他の偏光を透過させない第１偏光層と、
前記第２基板側に設けられ直線偏光を透過させ他の偏光を透過させず前記第１偏光層の透過軸に直交する透過軸を有する第２偏光層と、
前記第１偏光層と液晶層との間に設けられ静電気を外部へ逃がす導電層と、
前記第１偏光層と前記導電層との間に設けられ直線偏光と円偏光との間で偏光を変換する第１位相差層と、
前記導電層と前記液晶層との間に設けられ、直線偏光と円偏光との間で偏光を変換し、前記第１位相差層に対して光学軸が直交関係にある第２位相差層と、
を有することを特徴とする液晶装置。
【請求項１０】
請求項１から請求項８のいずれか１つに記載の液晶装置を有することを特徴とする電子機器。
【発明の詳細な説明】
【技術分野】
【０００１】
本発明は、横電界型の動作モードで動作する液晶装置及びその液晶装置を用いた電子機器に関する。
【背景技術】
【０００２】
現在、携帯電話機、ＰＤＡ（Personal Digital Assistant：携帯情報端末機）、カーナビゲーションシステム等といった電子機器に液晶装置が広く用いられている。例えば、電子機器に関する各種の情報を画像として表示するための表示部として液晶装置が用いられている。この液晶装置として、縦電界型の液晶装置と横電界型の液晶装置とが知られている。
【０００３】
縦電界型の液晶装置は、ＴＮ（Twisted Nematic）型液晶装置に代表されるように、液晶層を挟んで互いに対向する一対の基板のそれぞれに電極を設け、それらの電極に電圧を印加することによりそれらの基板に対して垂直方向の電界、いわゆる縦電界を発生させ、液晶層内の液晶分子の配向をその縦電界によって制御することにより、その液晶層を通過する光を変調する。
【０００４】
一方、横電界型の液晶装置は、液晶層を挟んで互いに対向する一対の基板の一方に共通電極及び画素電極の２つの電極を設け、それらの電極に電圧を印加することによりそれらの基板に対して平行方向の電界、いわゆる横電界を発生させ、液晶層内の液晶分子の配向をその横電界によって制御することにより、その液晶層を通過する光を変調する（例えば、特許文献１又は特許文献２参照）。
【０００５】
縦電界型の液晶装置においては、液晶分子を基板に対して垂直方向へ駆動するため、液晶装置の表示面を見る角度（視角）が変わると、液晶分子を違う角度から見ることになり、液晶分子が光透過状態に駆動されている状態のときでも、狭い角度範囲内で視角が変わっただけで光を視認できなくなるという性質を有している。この性質は、視野角が狭い、あるいは狭視野角であるといわれている。
【０００６】
一方、横電界型の液晶装置においては、基板に対して平行な横電界によって液晶分子が駆動されるため、液晶分子の配向が基板に対して平行な面内で制御され、そのため、視角が変わっても液晶分子を見る角度に変化が無く、従って、液晶分子の配向制御に従った表示を広い視角範囲内で視認できるという性質を有している。この性質は、視野角が広い、あるいは広視野角であるといわれている。
【０００７】
縦電界型の液晶装置においては、一対の基板のそれぞれに電極が設けられるので、液晶装置の外部で強い静電気が発生した場合でも、その静電気が発生した側にある電極がシールド機能を奏し、液晶装置内部の液晶層に悪影響が及ぶことがなく、正常な表示を維持できる。これに対し、横電界型の液晶装置においては、電界を発生するための一対の電極が片側の基板上に設けられ、他方の基板上には電極が設けられない。このため、液晶装置の外部で静電気が発生した場合には、電極が設けられていない基板に電荷が残ってしまい、この残留電荷が液晶層に悪影響を与えて表示不良が発生するおそれがあった。
【０００８】
この問題を解消するため、横電界型の液晶装置において、電極が設けられていない基板に導電膜を設け、外部からの静電気をその導電膜によってシールド（遮蔽）して、表示異常が発生することを防止するという技術が知られている（例えば、特許文献３参照）。
【０００９】
また、横電界型であるか、縦電界型であるかにかかわらず、２枚の（λ／４）位相差板を用いて液晶装置の表示面上での光反射を低減する技術が知られている（例えば、特許文献４参照）。
【００１０】
【特許文献１】特開平１１−２０２３５６号公報（第６〜７頁、図２）
【特許文献２】特開２００１−５１２６３号公報（第６〜７頁、図１）
【特許文献３】特開平１１−１４９０８５号公報（第３頁、図１）
【特許文献４】特開平３−１８８４２０号公報（第３〜４頁、図１）
【発明の開示】
【発明が解決しようとする課題】
【００１１】
特許文献３に開示された技術によれば、横電界型の液晶装置において電極が設けられない方の基板上に導電層を設けることにより、外部の静電気が内部の液晶層に悪影響を与えることを遮断でき、表示不良の発生を防止できると思われる。しかしながら、基板上に導電膜を設けると、太陽光や室内光といった外部光が液晶装置を照射する環境下において、その外部光が導電層で反射し、電圧無印加状態においてその反射光のために表示が見え難くなったり、ノーマリーブラックの「黒」が浮いた状態で視認されて見栄えが非常に悪くなるという問題がある。
【００１２】
この状況下において、特許文献４に開示された（λ／４）位相差板を用いて反射光を抑えることが想起し得ると言えるかもしれない。しかしながら、特許文献４は横電界型の液晶装置を念頭に置くものではなく、横電界型の液晶装置において電極を設けない方の基板上に静電対策用の導電層を設ける場合を考慮したものでもない。従って、横電界型の液晶装置において電極を設けない方の基板上に静電対策用の導電層を設けた場合に、その導電層での光反射を（λ／４）位相差層を用いて抑制することや、（λ／４）位相差層を導電層に対してどのような位置に設ければよいか等といったことは、容易には想起し得ないものである。
【００１３】
本発明は、上記の問題点に鑑みて成されたものであって、横電界型の液晶装置でありながら静電気に起因した表示品質の低下を防止でき、しかも反射光の発生に起因した表示品質の低下をも防止できる液晶装置を提供することを目的とする。
また、本発明は、横電界型の液晶装置を用いているにもかかわらず、静電気の影響によって表示品質が低下することがなく、しかも反射光の発生によって表示品質が低下することもない電子機器を提供することを目的とする。
【課題を解決するための手段】
【００１４】
本発明に係る第１の液晶装置は、液晶層を挟持した第１基板及び第２基板と、前記第１基板側に設けられた第１偏光層と、前記第２基板側に設けられた第２偏光層と、前記第２基板の液晶層側の面上において層間絶縁膜を挟んで設けられた共通電極及び画素電極と、前記第１偏光層と前記液晶層との間に設けられた導電層と、前記第１偏光層と前記導電層との間に設けられた第１位相差層と、前記導電層と前記液晶層との間に設けられた第２位相差層とを有することを特徴とする。
【００１５】
上記構成において、「前記第１基板側に設けられた第１偏光層」は、第１基板の表面に第１偏光層が貼着等によって設けられることや、第１基板そのものが偏光板によって形成されることを含んでいる。「前記第２基板側に設けられた第２偏光層」も同様の意味である。「前記第２基板の液晶層側の面上において」は、第２基板の表面に接触する場合、及び第２基板の表面から離れる場合の両方を含んでいる。第１位相差層及び第２位相差層は、それらの層を通過する偏光を直線偏光と円偏光との間又は直線偏光と楕円偏光との間で変換する光学要素層である。
【００１６】
導電層は、例えば、ＩＴＯ（Indium Tin Oxide：インジウム・スズ酸化物）や、ＩＺＯ（Indium Zinc Oxide）等によって形成される。導電粒子を樹脂膜の内部に分散状態で含ませることによって導電層を形成することも考えられるが、本発明において導電層は、ＩＴＯやＩＺＯ等といった膜材料によって内部に粒子を含まない層として形成することが望ましい。ＩＺＯは、主に、酸化インジウム（Ｉｎ２Ｏ３）と酸化亜鉛（ＺｎＯ）から成り透光性を有する導電材料である。
【００１７】
上記の液晶装置は、１つの基板上に共通電極及び画素電極の２つの電極が設けられる構成を有する横電界型の液晶装置である。この液晶装置においては、電極が形成されない方の基板に外部の静電気の電荷が残り、その残留電荷により液晶層内の横電界に悪影響がおよび、表示不良が発生するおそれがある。しかしながら、本発明では、電極が形成されない方の基板である第１基板上に導電層を設けたので、その導電層を通して電荷を外部へ伝送して液晶装置から逃がすことができ、液晶層内の電界に影響が及ぶことを防止でき、表示不良の発生を防止できる。
【００１８】
第１基板上に導電層を設けた場合、外部光が導電層で反射して、その反射光が観察者によって視認されてしまい、表示が見難くなるおそれがある。しかしながら、本発明では、導電層の上に第１位相差層を設けたので、導電層で反射した外部光の偏光状態が第１位相差層の作用に従って変化し、その反射光が外部へ出ることが第１偏光層によって規制又は阻止される。こうして、導電層での反射光が外部へ出ることが無くなり、表示が見難くなることを防止できる。
【００１９】
ところで、上記のように第１偏光層と液晶層との間に第１位相差層を設けると、液晶装置における表示に寄与する光が第１位相差層を透過するときに偏光制御され、その後に第１偏光層を透過するときに光量が低下する。こうなると、表示が暗くなって見難くなるおそれがある。これに対し、本発明では、第１位相差層よりも液晶層に近い位置に第２位相差層を設けたので、第１位相差層による偏光制御の態様を第２位相差層によって変化させることができる。この場合、第１位相差層を透過した偏光が第１偏光層を透過し易い状態となるように第２位相差層の光学軸を設定すれば、光量の低下を防止でき、明るい表示を得ることができる。例えば、第１位相差層の光学軸と第２位相差層の光学軸とを直交配置すれば光量の低下を抑制できる。
【００２０】
次に、本発明に係る液晶装置において、前記第１位相差層は前記導電層に接して設けられることが望ましい。ここで、「接する」とは、第１位相差層が導電層に直接に接触している場合、及び第１位相差層が接着剤を介して導電層に接着される場合を含む。この発明態様は、第１位相差層が空間を空けることなく導電層の直ぐ上に設けられることを規定している。この構成により、導電層で反射した光が外部へ出ることを効果的に防止できる。
【００２１】
次に、本発明に係る液晶装置において、前記第１位相差層の光学軸と前記第２位相差層の光学軸は直交することが望ましい。この構成により、液晶層を透過して表示に寄与する透過光の光量が第１偏光層によって低下することを効果的に防止でき、明るい表示を提供できる。
【００２２】
次に、本発明に係る液晶装置において、前記第１偏光層の透過軸と前記第１位相差層の光学軸の成す角度は４５°であり、前記第２偏光層の透過軸と前記第２位相差層の光学軸の成す角度は４５°であることが望ましい。この構成により、液晶層を透過して表示に寄与する透過光の光量が第１偏光層によって低下することを効果的に防止できる。
【００２３】
次に、本発明に係る液晶装置においては、前記第１基板の液晶層と反対側の面上に前記第２位相差層が設けられ、該第２位相差層に接して前記導電層が設けられ、該導電層に接して前記第１位相差層が設けられることが望ましい。この構成は、第１基板の外側において、該第１基板に接した状態で又は該第１基板から離れた状態で、第２位相差層、導電層、及び第１位相差層がその順に積層される構成を規定している。
【００２４】
上記構成において「第１基板の液晶層と反対側の面上に前記第２位相差層が設けられる」の構成は、第２位相差層が第１基板の表面に直接に接触する場合、第２位相差層が第１基板の表面に接着剤によって接着される場合、及び第２位相差層が第１基板の表面に間隔をおいて設けられる場合を含む。また、「接して」は、何等の介在物も無く直接に接触する場合、及び接着剤によって接着される場合を含む。
【００２５】
なお、本発明態様においては、前記導電層と前記第２基板が互いに導電接続されることが望ましい。導電層による電荷の分散を良好に行うためである。
【００２６】
次に、本発明に係る液晶装置においては、前記第１基板の液晶層と反対側の面に接して前記導電層が設けられ、該導電層に接して前記第１位相差層が設けられ、前記第１基板と前記液晶層との間に前記第２位相差層が設けられることが望ましい。この構成は、導電層及び第１位相差層の積層構造が第１基板の外側に設けられ、第２位相差層が第１基板の内側（すなわち液晶層側、すなわち液晶セルの内部）に作り込まれる構成を規定している。上記構成において、「接して」の技術は、何等の介在物も無く直接に接触する場合、及び接着剤（望ましくは導電性の接着剤）によって接着される場合を含む。本発明態様によれば、第１基板と導電層とが互いに接して設けられることにより、両者の間の導通が確保され、導電層による電荷の分散が良好に行われる。
【００２７】
次に、本発明に係る液晶装置は、第１基板の液晶側の面上に設けられた着色膜の層と、該着色膜の層を覆うオーバーコート層とをさらに有することができる。そしてこの場合、前記第２位相差層は前記オーバーコート層の液晶層側の面に接して設けられることが望ましい。この構成は、液晶セルの内部であってカラーフィルタを構成する着色膜の層と液晶層との間に第２位相差層を作り込む構成を規定している。
【００２８】
次に、本発明に係る第２の液晶装置は、液晶層を挟持した第１基板及び第２基板を有し、第２基板上に設けられた一対の電極間に電界を形成し、この電界によって前記液晶層内の液晶分子の配向を制御する液晶装置において、前記第１基板側に設けられ直線偏光を透過させ他の偏光を透過させない第１偏光層と、前記第２基板側に設けられ直線偏光を透過させ他の偏光を透過させず前記第１偏光層の透過軸に直交する透過軸を有する第２偏光層と、前記第１偏光層と液晶層との間に設けられ静電気を外部へ逃がす導電層と、前記第１偏光層と前記導電層との間に設けられ直線偏光と円偏光との間で偏光を変換する第１位相差層と、前記導電層と前記液晶層との間に設けられ、直線偏光と円偏光との間で偏光を変換し、前記第１位相差層に対して光学軸が直交関係にある第２位相差層とを有することを特徴とする。
【００２９】
本発明は、既述した本発明に係る第１の液晶装置を別の観点から規定するものである。この第２の発明によれば、横電界型の液晶装置において電極が形成されない方の基板である第１基板上に導電層を設けたので、その導電層を通して電荷を外部へ伝送でき、液晶層内の電界に影響が及ぶことを防止でき、表示不良の発生を防止できる。
また、導電層の上に第１位相差層を設けたので、導電層で反射した外部光の偏光状態が第１位相差層の作用に従って変化し、その反射光が外部へ出ることが第１偏光層によって規制又は阻止される。こうして、導電層での反射光が外部へ出ることが無くなり、表示が見難くなることを防止できる。
さらに、第１位相差層よりも液晶層に近い位置に第２位相差層を設けたので、第１位相差層による偏光制御の態様を第２位相差層によって変化させることができる。この場合、第１位相差層を透過した偏光が第１偏光層を透過し易い状態となるように第２位相差層の光学軸を設定すれば、光量の低下を防止でき、明るい表示を得ることができる。
【００３０】
次に、本発明に係る電子機器は、以上に記載した構成の液晶装置を有することを特徴とする。本発明に係る液晶装置は、導電層及びそれを挟持する一対の位相差層の働きによって、静電気による表示不良を解消し、表示が暗くなることを解消し、高い表示品質を得ることができた。従って、この液晶装置を用いた本発明に係る電子機器においても、これを静電気が発生し易い場所で使ったとしても、表示不良が発生せず、明るい表示を実現できる。
【発明を実施するための最良の形態】
【００３１】
（液晶装置の第１実施形態）
以下、液晶装置の一例として、透過型でカラー表示が可能なアクティブマトリクス方式の液晶装置に本発明を適用した場合を例に挙げて本発明の実施形態を説明する。また、本実施形態では、チャネルエッチ型でシングルゲート構造のポリシリコンＴＦＴ素子をスイッチング素子として用いた液晶装置に本発明を適用する。また、本実施形態における液晶装置では、動作モードとしてＦＦＳ（Fringe Field Switching）モードを採用するものとする。なお、本発明がこの実施形態に限定されないことはもちろんである。また、以下の説明で用いる図面では、特徴部分を分かり易く示すために、複数の構成要素の寸法を実際とは異なった比率で示す場合がある。
【００３２】
図１は本発明に係る液晶装置の断面構造を示している。図２は図１の矢印Ｚ２で示す１つのサブ画素近傍を拡大して示している。図３は図２のＺ３−Ｚ３線に従った平面構造を示している。図２は図３のＺ２−Ｚ２線に従った断面に相当する。これらの図において、マトリクス状に配列される画素の行方向を符号Ｘで示し、列方向を符号Ｙで示している。
【００３３】
図１において、液晶装置１は、液晶パネル２と照明装置３とを有する。この液晶装置１に関しては、矢印Ａが描かれた側が観察側であり、上記の照明装置３は液晶パネル２に関して観察側と反対側に配置されてバックライトとして機能する。液晶パネル２は、矢印Ａ方向から見て長方形又は正方形で環状のシール材４によって互いに貼り合わされた第１基板５及び第２基板６を有する。第１基板５はカラーフィルタが形成されるカラーフィルタ基板である。第２基板６はスイッチング素子が形成される素子基板である。本実施形態では、観察側にカラーフィルタ基板５が配置され、観察側から見て背面に素子基板６が配置される。
【００３４】
シール材４は、カラーフィルタ基板５と素子基板６との間に間隙、いわゆるセルギャップＧを形成する。セルギャップＧは液晶パネル２内に設けられた複数の柱状スペーサ７によってその高さが維持されている。本実施形態では、セルギャップＧを３．５μｍとした。柱状スペーサ７は、通常、感光性樹脂をフォトリソグラフィ処理によってパターニングすることによって形成される。柱状スペーサ７はカラーフィルタ基板５又は素子基板６のいずれに形成しても良いが、本実施形態ではカラーフィルタ基板５の表面に形成されている。
【００３５】
シール材４はその一部に液晶注入口（図示せず）を有し、この液晶注入口を介してカラーフィルタ基板５と素子基板６との間に電気光学物質である液晶が注入される。注入された液晶はセルギャップＧ内で液晶層９を形成する。液晶注入口は液晶の注入が完了した後に封止剤によって封止される。図では液晶層９を破線で示しているが、この破線は液晶分子の配列状態を示している訳ではなく、単に、液晶が存在していることを示すものである。
【００３６】
本実施形態では、液晶として、負の誘電率異方性を有するネマティック液晶（いわゆる、ネガ液晶）を用いる。液晶の比誘電率に関しては、液晶分子の長軸方向の誘電率はε‖＝１０、液晶分子の短軸方向の誘電率はε⊥＝４である。また、屈折率異方性の大きさはΔｎ＝０．１である。なお、ネマティック液晶に代えて、正の誘電率異方性を有するネマティック液晶（いわゆる、ポジ液晶）を用いることもできる。
【００３７】
図１において、照明装置３は、光源としてのＬＥＤ（Light Emitting Diode：発光ダイオード）１１と、平板形状の導光体１２とを有する。光源としては、ＬＥＤのような点状光源以外に、冷陰極管のような線状光源を用いることもできる。導光体１２は、例えば透光性を有する樹脂を材料として成形加工することによって形成され、ＬＥＤ１１に対向する側面が光入射面１２ａであり、液晶パネル２に対向する面が光出射面１２ｂである。矢印Ａで示す観察側から見て導光体１２の背面には、必要に応じて、光反射膜１３が設けられる。また、導光体１２の光出射面１２ｂには、必要に応じて、光拡散膜１４が設けられる。
【００３８】
素子基板６は矢印Ａ方向から見て長方形又は正方形の第２の透光性の基板６ａを有する。この第２透光性基板６ａは、例えば透光性のガラス、透光性のプラスチック等によって形成されている。第２透光性基板６ａの外側表面には第２偏光板１５ｂが貼り付けられている。他方、第２透光性基板６ａの内側表面には、図２及びその平面図である図３に示すように、ゲート線１８及び共通線２１が互いに平行に行方向Ｘに延びて形成されている。そして、互いに隣り合うゲート線１８の間の基板６ａ上に略長方形状の共通電極３２が複数設けられている。これらの共通電極３２はその一部分が共通線２１の上に重なった状態に形成されており、これにより、各共通電極３２と共通線２１との電気的な導通がとられている。
【００３９】
ゲート線１８及び共通電極３２の上に、これらを被覆する面状の樹脂膜であるゲート絶縁膜１９が形成され、その上にソース線２０が列方向Ｙに延びて形成されている。図３において、ゲート線１８とソース線２０とによって囲まれる長方形状の領域内にサブ画素Ｐｘが設定される。共通電極３２はサブ画素Ｐｘ内に含まれている。本実施形態ではＲ（赤色）、Ｇ（緑色）、Ｂ（青色）の３色によってカラー表示を行うものとしており、サブ画素Ｐｘは個々の色に対応した単位画素であり、それら３つの色に対応するサブ画素Ｐｘの集まりによって１つの画素が構成される。複数のサブ画素Ｐｘが図１の矢印Ａ方向から見てマトリクス状（行列状）に並ぶことによって表示領域Ｖが構成されている。図１では、サブ画素Ｐｘ内の構造を分かり易く示すためにサブ画素Ｐｘの液晶パネル２に対する寸法を実際の寸法よりも非常に大きく描いている。
【００４０】
図３において、ゲート線１８とソース線２０との交差部分の近傍に、スイッチング素子として機能するアクティブ素子であるＴＦＴ（Thin Film Transistor）素子２２が設けられている。ＴＦＴ素子２２は、ボトムゲート構造及びシングルゲート構造のチャネルエッチ型のポリシリコンＴＦＴとして形成されている。このＴＦＴ素子２２は、図２において、ゲート線１８の一部分であるゲート電極１８ａと、ゲート絶縁膜１９と、ポリシリコンを用いて形成された半導体膜２３と、ソース電極２５と、そしてドレイン電極２６とを有する。ソース電極２５及びドレイン電極２６は、スイッチング素子であるＴＦＴ素子２２の電極端子である。ソース電極２５は，図３右下に示すように、ソース線２０から分岐して形成されている。本実施形態のＴＦＴ素子２２はボトムゲート構造であるが、これをトップゲート構造とすることもできる。
【００４１】
図２において、ＴＦＴ素子２２及びソース線２０を被覆するための面状の樹脂膜であるパシベーション膜（保護膜）２９がゲート絶縁膜１９の上に設けられている。パシベーション膜２９は、例えば感光性樹脂によって形成されている。パシベーション膜２９の上に画素電極３４が設けられ、その上に配向膜３５ｂが設けられている。図３では配向膜３５ｂの図示を省略している。図２において、ＴＦＴ素子２２のドレイン電極２６の上部領域においてパシベーション膜２９の内部にスルーホール３６が形成され、このスルーホール３６を介して画素電極３４とドレイン電極２６とが導電接続されている。
【００４２】
共通電極３２及び画素電極３４は、ＩＴＯ（Indium Tin Oxide：インジウム・スズ酸化物）等といった透光性の金属酸化物によって形成されている。パシベーション膜２９及びゲート絶縁膜１９は、それぞれ、共通電極３２と画素電極３４との間に設けられた層間絶縁膜として機能すると共に、他の要素を被覆するための樹脂膜であるオーバーコート層として機能する。パシベーション膜２９及びゲート絶縁膜１９は、例えば、アクリル系樹脂、ＳｉＮ（窒化シリコン）、又はＳｉＯ２（酸化シリコン）によって形成されている。配向膜３５ｂは、例えばポリイミドによって形成されている。
【００４３】
画素電極３４は、図３に示すように、サブ画素Ｐｘに対応して長方形状の平面形状に形成されており、その内部に複数のスリット３７を有している。スリット３７は画素電極３４を貫通する溝状の開口であり、当該スリット３７を通して画素電極３４の下層であるパシベーション膜２９を見ることができる。また、複数のスリット３７は、行方向Ｘに沿って上端が右側へ傾斜した状態で、列方向Ｙに沿って互いに間隔を空けて平行に設けられている。これらのスリット３７の間に帯状の画素電極３４ａが配置されている。
【００４４】
本実施形態ではスリット３７の両短辺が閉じた状態となっているが、スリット３７の両短辺の一方は開放状態とすることができる。この開放状態の場合には、複数の帯状電極３４ａのそれぞれは片持ち梁の状態となり、全体的には櫛歯形状となる。
【００４５】
ＦＦＳモードを実現するための横斜め電界（すなわち、放物線状電界）を形成できるようにするため、図２において、帯状画素電極３４ａと共通電極３２との間の基板面に沿った間隔Ｄ０が液晶層９の層厚Ｄ１よりも小さく、すなわち
Ｄ１＞Ｄ０
に設定されている。特に本実施形態では、共通電極３２が基板６ａ上のサブ画素領域Ｐｘ内に面状（いわゆる、ベタ状）に設けられており、それ故、Ｄ０＝０（ゼロ）となっている。共通電極３２にも画素電極３４と同様にスリットを形成して帯状部分を形成すれば、Ｄ０≠０とすることができる。こうして形成された帯状共通電極と帯状画素電極３４ａとの間隔を広くとることにより、
Ｄ１＜Ｄ０
に設定すれば、ＦＦＳモードに代えてＩＰＳモードを実現できる。
【００４６】
斜めスリット３７の配列構成は図３に示す構成に限られず、例えば、個々のスリット３７の傾斜方向を、サブ画素Ｐｘの長手方向（列方向Ｙ）の中心を境として列方向Ｙで対称に配置することもできる。つまり、サブ画素Ｐｘ内の右側半分では上端が右側へ傾斜する状態とし、左側半分では上端が左側へ傾斜する状態とすることができる。
【００４７】
図１において、それぞれがオーバーコート層であるゲート絶縁膜１９及びパシベーション膜２９は、シール材４によって囲まれる領域内だけに設けられるだけではなく、シール材４を越えた基板５ａ上の広い領域内に設けられた膜、すなわち全面オーバーコート層として形成されている。なお、パシベーション膜２９及びゲート絶縁膜１９は、基板６ａの略全周にわたって基板６ａの辺端まで形成されているが、後述する駆動用ＩＣ５３が実装される側の辺端部に関しては、パシベーション膜２９等はシール材４を越えるものの駆動用ＩＣ５３を実装するための領域には設けられていない。
【００４８】
図１において、素子基板６に対向するカラーフィルタ基板５は、矢印Ａ方向から見て長方形又は正方形の第１の透光性の基板５ａを有する。この第１透光性基板５ａは、例えば透光性のガラス、透光性のプラスチック等によって形成されている。第１透光性基板５ａの外側表面には、第２位相差層３９、導電層４０、及び第１位相差層４１がこの順に積層されている。そして、第１位相差層４１の上に第１偏光板１５ａが貼り付けられている。本実施形態において、第１位相差層４１及び第２位相差層３９は、共に、（λ／４）板（すなわち、１／４波長板）によって形成されている。
【００４９】
第２（λ／４）板３９、導電層４０、及び第１（λ／４）板４１は互いに接する状態で設けられている。接するというのは、互いに対面する部材が何等の介在物も無く直接に接触する状態や、互いに対面する部材が接着剤によって接着される状態のことである。なお、これらの膜要素３９，４０，４１は互いに接する状態に限られるものではなく、それらの間に何等かの介在物が在っても良く、あるいはそれらの間に空間が在っても良い。
【００５０】
導電層４０と第１透光性基板５ａは導電手段４２によって電気的な導通がとられている。具体的には、それらの外部において導電線又は導電ペースト等によってつなげられたり、液晶パネル２の内部であって表示に寄与しない領域において導通粒子等によって接続がとられたりする。これらの場合には、導電線、導電ペースト、導通粒子等が導電手段４２として作用する。
【００５１】
第１透光性基板５ａの内側表面には、図２に示すように、カラーフィルタを構成する着色膜４４が形成され、その周囲に遮光膜４５が形成されている。個々の着色膜４４は矢印Ａ方向から見てサブ画素Ｐｘに対応する長方形又は正方形のドット状（すなわち、島状）に形成されている。また、着色膜４４は複数個が矢印Ａ方向から見て行方向Ｘ及び列方向Ｙにマトリクス状に配列されている。遮光膜４５はそれらの着色膜４４を囲む格子状に形成されている。
【００５２】
着色膜４４の個々はＲ（赤色）、Ｇ（緑色）、Ｂ（青色）の１つを通過させる光学的特性に設定され、それらＲ，Ｇ，Ｂの着色膜４４が矢印Ａ方向から見て所定の配列、たとえばストライプ配列、モザイク配列、デルタ配列で並べられている。ストライプ配列を採用するものとすれば、図２及び図３において列方向ＹにＲ，Ｇ，Ｂの同色が並び、行方向ＸにＲ，Ｇ，Ｂが１色ずつ順々に交互に並ぶ。なお、着色膜４４の光学的特性は、Ｒ，Ｇ，Ｂの３色に限られず、Ｃ（シアン）、Ｍ（マゼンタ）、Ｙ（イエロー）の３色、あるいは、その他の４色以上とすることもできる。遮光膜４５は異なる色の着色膜４４を２色又は３色重ねることによって樹脂膜として形成されている。遮光膜４５は、樹脂膜に代えて、適宜の遮光性金属材料（例えば、Ｃｒ（クロム））によって形成することもできる。
【００５３】
仮に、遮光膜４５が金属膜であるとすると、素子基板６上に形成される横電界を構成する電気力線がその金属膜によって乱されてしまい、表示品質が低下するおそれがある。これに対し、本実施形態のように遮光膜４５を樹脂膜によって形成すれば、遮光膜４５によって電気力線が乱されることがなくなり、表示品質の低下を防止できる。
【００５４】
本実施形態のように、Ｒ，Ｇ，Ｂの３色から成る着色膜４４を用いてカラー表示を行う場合は、Ｒ，Ｇ，Ｂの３色に対応する３つの着色膜４４に対応する３つのサブ画素Ｐｘによって１つの画素が形成される。他方、白黒又は任意の２色でモノカラー表示を行う場合は、１つのサブ画素Ｐｘによって１つの画素が形成される。着色膜４４及び遮光膜４５の上にオーバーコート層４６が形成され、その上に配向膜３５ａが形成されている。
【００５５】
着色膜４４は、例えば、感光性樹脂材料に顔料や染料を混合することによって形成されている。オーバーコート層４６は絶縁性樹脂、例えばアクリル系樹脂によって形成されている。配向膜３５ａはポリイミドによって形成されている。オーバーコート層４６は、カラーフィルタの構成材料が液晶に混入することを防止する保護膜、及びカラーフィルタの表面を平坦化する平坦化膜として機能する。
【００５６】
図１において、カラーフィルタ基板５側の配向膜３５ａ及び素子基板６側の配向膜３５ｂに施されるラビング方向は、本実施形態のように液晶層９を負の誘電率異方性を有するネマティック液晶を用いて形成した場合、図４に示すように、列方向Ｙに平行なアンチパラレル方向である。なお、正の誘電率異方性を有するネマティック液晶を用いて液晶層９を形成する場合には、ラビング方向は行方向Ｘに平行なアンチパラレル方向である。また、素子基板６側（観察背面側）の第２偏光板１５ｂ及びカラーフィルタ基板５側（観察側）の第１偏光板１５ａの各透過軸は互いに直角であり、観察側の第１偏光板１５ａの透過軸は、配向膜３５ａ，３５ｂのラビング方向と平行であり、観察背面側の第２偏光板１５ｂの透過軸はラビング方向と直交している。
【００５７】
図５において、偏光板１５ａ，１５ｂ、第１（λ／４）板４１、及び第２（λ／４）板３９の間の光軸関係は次のように設定されている。すなわち、観察側の第１偏光板１５ａの透過軸と第１（λ／４）板４１の光学軸（例えば、遅相軸）との成す角度は４５°に設定されている。第１（λ／４）板４１と第２（λ／４）板３９との光学軸は互いに直交するように設定されている。背面側の第２偏光板１５ｂの透過軸と第２（λ／４）板３９の光学軸との成す角度は４５°に設定されている。本実施形態の液晶装置は、液晶層への電界無印加時に「黒」となり、電界印加時に「白」となるノーマリーブラックに設定されている。
【００５８】
次に、図１において、素子基板６を構成する第２透光性基板６ａはカラーフィルタ基板５の外側へ張り出す張出し部４９を有している。この張出し部４９の表面には、配線５０がフォトエッチング処理等によって形成されている。配線５０は矢印Ａ方向から見て複数本形成されており、それらの複数本が行方向Ｘに沿って互いに間隔を空けて並べられている。また、張出し部４９の辺端には複数の外部接続用端子５１が行方向Ｘに沿って互いに間隔を空けて並ぶように形成されている。これらの外部接続用端子５１が設けられた張出し部４９の辺端に、例えばＦＰＣ（Flexible Printed Circuit；可撓性配線回路）基板が接続される。
【００５９】
複数の配線５０は、シール材４に囲まれた領域内に向けて列方向Ｙに延びるように形成されている。これらの配線５０の一部は、素子基板６上のソース線２０に直接につながってデータ線として機能する。また、複数の配線５０の他の一部は、シール材４によって囲まれた領域内で素子基板６の側辺に沿って列方向Ｙに沿って延びて形成され、さらに折れ曲がって行方向Ｘへ延びるパターンとして形成されている。この折れ曲がったパターンの配線５０は、素子基板６上のゲート線１８に直接につながって走査線として機能する。
【００６０】
張出し部４９の表面には、ＡＣＦ（Anisotropic Conductive Film：異方性導電膜）５２を用いたＣＯＧ（Chip On Glass）技術によって駆動用ＩＣ５３が実装されている。駆動用ＩＣ５３は、ソース線２０へデータ信号を伝送し、ゲート線１８へ走査信号を伝送する。駆動用ＩＣ５３は１つのＩＣチップによって形成されることもあるし、複数のＩＣチップによって形成されることもある。なお、駆動用ＩＣ５３は液晶パネル２内に実装されることに限られず、液晶パネル２とは別に設けられた配線基板上に実装することもできる。この場合、その配線基板はヒートシール等といった配線要素を介して液晶パネル２に導電接続される。
【００６１】
以上のように構成された液晶装置１によれば、照明装置３をバックライトとして用いて透過型の表示が行われる。具体的には、図１においてＬＥＤ１１が点灯し、それからの光が導光体１２へ導入され、さらに光出射面１２ｂから面状の光として出射する。この面状の光が液晶層９へ供給される。こうして液晶層９へ光が供給される間、素子基板５上の画素電極３４と共通電極３２との間には、走査信号及びデータ信号によって特定される所定の電圧が印加され、液晶層９内の液晶分子の配向がサブ画素Ｐｘごとに制御される。以下、この配向制御について詳しく説明する。
【００６２】
図２において、帯状の画素電極３４ａと面状の共通電極３２とが層間絶縁膜（すなわち、パシベーション膜２９及びゲート絶縁膜１９）を挟んで積層されている。共通電極３２の形状は面状であるので、帯状画素電極３４ａと共通電極３２との間の基板面に沿った（すなわち、列方向Ｙに沿った）距離Ｄ０はゼロであり、液晶層の層厚Ｄ１に対する関係はＤ１＞Ｄ０である。この状態で両電極間に所定の電圧が印加されると、スリット３７の近傍で両電極間に横斜め電界Ｅが発生する。この横斜め電界Ｅは、この横斜め電界Ｅは、液晶層９の厚さ方向（すなわち、Ｚ方向）と横方向（すなわち、列方向Ｙ）の両方向にわたって斜めに進む電界、換言すれば放物線状の電界である。この横斜め電界Ｅによって、液晶層９内の液晶分子の配向が基板水平面内で制御される。
【００６３】
この結果、液晶層９内に供給された光が液晶分子の水平面内での配向に従ってサブ画素Ｐｘごとに変調される。この変調された光が、カラーフィルタ基板５の第１偏光板１５ａ（図１参照）を通過するとき、その第１偏光板１５ａの偏光特性によりサブ画素Ｐｘごとに通過を規制され、カラーフィルタ基板５の表面に文字、数字、図形等といった像が表示され、これが矢印Ａ方向から視認される。この場合、液晶分子の配向の制御は縦方向（基板に対して直角方向）の面内で行われるのではなく、横方向（基板に対して平行方向）の面内で行われるので、観察者が液晶パネル２の表示面を見る角度が斜めに傾いても、液晶分子を見る角度に変化はない。このため、本実施形態のＦＦＳモードは広い視角特性を達成できる。
【００６４】
本実施形態の液晶装置においては、１つの基板である第２透光性基板６ａの上に共通電極３２及び画素電極３４の２つの電極が設けられる。この液晶装置において、仮に、電極が形成されない方の基板である第１透光性基板５ａ上に導電層４０を設けないことにすると、液晶装置の周囲で静電気が発生した場合に、第１透光性基板５ａに外部の静電気の電荷が残り、その残留電荷により液晶層９内の横電界に悪影響がおよび、表示不良が発生するおそれがある。しかしながら、本実施形態では、電極が形成されない第１基板５ａ上に導電層４０を設けたので、その導電層４０を通して電荷を外部へ伝送して逃がすことができ、液晶層９内の電界に影響が及ぶことを防止でき、表示不良の発生を防止できる。導電層４０は導電線等といった導電手段４２によって第１基板５ａに電気的につながれているので、電荷の伝送は円滑に行われる。
【００６５】
上記のように第１基板５ａ上に導電層４０を設けた場合には、外部光が導電層４０で反射して、その反射光が観察者によって視認されてしまい、表示が見難くなるおそれがある。しかしながら、本実施形態では、導電層４０の上に第１（λ／４）板４１を設けたので、導電層４０で反射した外部光の偏光状態が第１（λ／４）板４１の作用に従って変化し、その反射光が外部へ出ることが第１偏光層１５ａによって阻止される。
【００６６】
このことを図５を用いて詳しく説明する。導電層４０の上に第１偏光板１５ａを配置するだけという従来の構成では、外部光Ｌ１は、第１偏光板１５ａを通って直線偏光となり、次に導電層４０で反射して、そのまま第１偏光板１５ａを通って外部へ出射する。このため、電荷無印加の状態でも「黒」が浮いてしまうという不具合や、表示が見え難くなるという不具合が発生するおそれがある。
【００６７】
本実施形態のように導電層４０の上に第１（λ／４）板４１を配置すれば、第１偏光板１５ａから出た直線偏光は第１（λ／４）板４１を通って一方向の円偏光となり、次に導電層４０で反射して逆方向の円偏光となる。この反射光は再び第１（λ／４）板４１へ入り、入射時とは異なった方向の直線偏光となって第１偏光板１５ａへ入射する。この直線偏光はその偏光方向が入射時とは逆になっているので第１偏光板１５ａによって吸収されて外部へは出ない。こうして、導電層４０での反射光が外部へ出射することが阻止され、電荷無印加時に「黒」が浮いて見えることや、表示が見え難くなることが回避される。
【００６８】
ところで、上記のように第１偏光層１５ａと液晶層９との間に第１（λ／４）板４１を設けると、液晶装置における表示に寄与する光が第１（λ／４）板４１を透過するときに偏光制御され、その後に第１偏光層１５ａを透過するときに光量が低下するおそれがある。こうなると、表示が暗くなって見難くなるおそれがある。この不都合を解消するため、本実施形態では、第１（λ／４）板４１よりも液晶層９に近い位置に第２（λ／４）板３９を設けている。以下、このときの光の偏光制御状態を説明する。
【００６９】
図６において、表示に寄与できる光Ｌ３が第２偏光板１５ｂに入射すると直線偏光が取り出され、その偏光が液晶層９を通って第２（λ／４）板３９へ入射し、円偏光に変換される。この円偏光は第１（λ／４）板４１によって直線偏光に変換されるので、第１偏光板１５ａを透過して外部へ出射する。このように、導電層４０の上に第１（λ／４）板４１を配置した場合でも、その第１（λ／４）板４１の前に第２（λ／４）板３９を設け、しかもそれらの（λ／４）板４１，３９の光学軸を直交配置させたので、表示に寄与できる透過光が第１偏光板１５ａによって吸収されて透過率の損失が発生するという不都合が解消され、明るい表示を提供できる。
【００７０】
なお、上記の実施形態では、第１（λ／４）板４１が導電層４０に接して設けられている。この場合、第１（λ／４）板４１は導電層４０に直接に接触する状態でも良く、あるいは接着剤によって導電層４０に接着される状態であっても良い。いずれの場合でも、第１（λ／４）板４１は空間を空けることなく導電層４０の直ぐ上に設けられる。
【００７１】
（液晶装置の第２実施形態）
以下、本発明に係る液晶装置の他の実施形態を図７を用いて説明する。図１に示した先の実施形態に係る液晶装置１においては、第１透光性基板５ａの液晶層９と反対側の面上に第２（λ／４）板３９、導電層４０、第１（λ／４）板４１をこの順で積層し、さらに導電層４０と第１基板５ａとを導電手段４２によって導通させた。つまり、液晶装置１では、導電層４０及びそれを挟持する一対の（λ／４）板３９，４１から成る膜ユニットの全部が第１基板５ａの外側、すなわち液晶セル構造の外側に設けられている。
【００７２】
これに対し、図７に示す本実施形態の液晶装置６１では、第２（λ／４）板３９をオーバーコート層４６と配向膜３５ａとの間に設け、第１透光性基板５ａの液晶層９と反対側の面上に導電層４０及び第１（λ／４）板４１をこの順で積層した。つまり、本実施形態では、第２（λ／４）板３９が第１基板５ａの内側、すなわち液晶セル構造の内部に設けられている。
【００７３】
導電層４０と第１基板５ａは、何等の介在物も無く直接に接触するか、あるいは導電性の接着剤を介して互いに接着されている。導電層４０と第１基板５ａは接触面で互いに導通しているので、図１の実施形態における導電手段４２は不要となっている。液晶装置６１のその他の構成は図１の液晶装置１と同じであるので、その構成の説明は省略する。
【００７４】
本実施形態においても、導電層４０及びそれを挟持する一対の（λ／４）板３９，４１の協働作用により、横電界型の液晶装置における静電気の帯電による表示不良を解消でき、液晶パネル２の内部からの反射光により表示領域Ｖ内で表示が見難くなることを解消でき、さらに、液晶層９を透過して表示に寄与する透過光に損失が生じることを回避できる。
【００７５】
（電子機器の第１実施形態）
以下、本発明に係る電子機器の一実施形態を説明する。なお、この実施形態は本発明の一例を示すものであり、本発明はこの実施形態に限定されるものではない。図８は、本発明に係る電子機器の一実施形態を示している。ここに示す電子機器は、液晶装置１０１と、これを制御する制御回路１０２とを有する。液晶装置１０１は液晶パネル１０３及び駆動回路１０４を有する。また、制御回路１０２は、表示情報出力源１０５、表示情報処理回路１０６、電源回路１０７及びタイミングジェネレータ１０８によって構成される。
【００７６】
表示情報出力源１０５は、ＲＡＭ(Random Access Memory)等といったメモリや、各種ディスク等といったストレージユニットや、ディジタル画像信号を同調出力する同調回路等を備え、タイミングジェネレータ１０８により生成される各種のクロック信号に基づいて、所定フォーマットの画像信号等といった表示情報を表示情報処理回路１０６に供給する。
【００７７】
表示情報処理回路１０６は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０４へ供給する。ここで、駆動回路１０４は、走査線駆動回路やデータ線駆動回路と共に、検査回路等を総称したものである。また、電源回路１０７は、上記の各構成要素に所定の電源電圧を供給する。
【００７８】
液晶装置１０１は、例えば、図１に示した液晶装置１を用いて構成できる。この液晶装置１によれば、横電界型液晶装置の特徴である広視野角の表示を行うことができ、静電気の帯電による表示不良を解消でき、液晶パネル２の内部からの反射光により表示領域Ｖ内で表示が見難くなることを解消でき、さらに、液晶層９を透過して表示に寄与する透過光に損失が生じることを回避できるので、この液晶装置１を用いた本電子機器においても、広視野角の表示を実現でき、静電気の多い環境下でも正常で明るい表示を行うことができる。
【００７９】
（電子機器の第２実施形態）
図９は、本発明に係る電子機器の他の実施形態である携帯電話機を示している。ここに示す携帯電話機１１０は、本体部１１１と、この本体部１１１に対して開閉可能に設けられた表示体部１１２とを有する。表示体部１１２には表示装置１１３及び受話部１１４が設けられる。電話通信に関する各種表示は、表示装置１１３の表示画面１１５に表示される。表示装置１１３の動作を制御するための制御部は、携帯電話機の全体の制御を司る制御部の一部として、又はその制御部とは別に、本体部１１１又は表示体部１１２の内部に格納される。本体部１１１には操作ボタン１１６及び送話部１１７が設けられる。
【００８０】
表示装置１１３は、例えば、図１に示した液晶装置１を用いて構成できる。この液晶装置１によれば、横電界型液晶装置の特徴である広視野角の表示を行うことができ、静電気の帯電による表示不良を解消でき、液晶パネル２の内部からの反射光により表示領域Ｖ内で表示が見難くなることを解消でき、さらに、液晶層９を透過して表示に寄与する透過光に損失が生じることを回避できるので、この液晶装置１を用いた本電子機器においても、広視野角の表示を実現でき、静電気の多い環境下でも正常で明るい表示を行うことができる。
【００８１】
（電子機器の第３実施形態）
図１０は、本発明に係る電子機器のさらに他の実施形態であるカーナビゲーション装置を示している。このカーナビゲーション装置１２０は、例えば自動車の運転席のコンソールボックス等に装着される本体部１２１と、その本体部１２１から張り出して上方へ延在する表示体部１２２とを有する。表示体部１２２の内部には表示装置１２３が設けられている。この表示装置１２３は、例えば図１に示した液晶装置１を用いて構成される。
【００８２】
図１の液晶装置１によれば、横電界型液晶装置の特徴である広視野角の表示を行うことができ、静電気の帯電による表示不良を解消でき、液晶パネル２の内部からの反射光により表示領域Ｖ内で表示が見難くなることを解消でき、さらに、液晶層９を透過して表示に寄与する透過光に損失が生じることを回避できるので、この液晶装置１を用いた本電子機器においても、広視野角の表示を実現でき、静電気の多い環境下でも正常で明るい表示を行うことができる。
【００８３】
特に車載機器であるカーナビゲーション装置１２０は明るい太陽光の下で使用されることが多いので、液晶装置１の内部からの反射光が外部に出る場合には、太陽光と相まって表示が非常に見難くなる。本発明に係る液晶装置によれば、そのような液晶装置の内部からの反射光を解消できるので、その液晶装置を用いた本実施形態のカーナビゲーション装置はその表示を鮮明にすることに関して特に有利である。
【００８４】
（その他の実施形態）
なお、本発明を適用可能な電子機器としては、以上に説明した携帯電話機等の他にも、パーソナルコンピュータ、液晶テレビ、ビューファインダ型又はモニタ直視型のビデオテープレコーダ、ページャ、電子手帳、電卓、ワードプロセッサ、ワークステーション、テレビ電話機、ＰＯＳ端末器等が挙げられる。
【図面の簡単な説明】
【００８５】
【図１】本発明に係る液晶装置の一実施形態を示す断面図である。
【図２】図１の矢印Ｚ２で示す部分を拡大して示す図である。
【図３】図２のＺ３−Ｚ３線に従った平面図である。
【図４】光学要素の光軸関係を示す図である。
【図５】図１の液晶装置においてその内部で反射する外部光の偏光状態を示す図である。
【図６】図１の液晶装置において液晶層を透過する光の偏光状態を示す図である。
【図７】本発明に係る液晶装置の他の実施形態を示す断面図である。
【図８】本発明に係る電子機器の一実施形態を示すブロック図である。
【図９】本発明に係る電子機器の他の実施形態である携帯電話機の斜視図である。
【図１０】本発明に係る電子機器のさらに他の実施形態であるカーナビゲーション装置の斜視図である。
【符号の説明】
【００８６】
１．液晶装置、  ２．液晶パネル、  ３．照明装置、  ４．シール材、
５．カラーフィルタ基板、  ５ａ．第１透光性基板（第１基板）、  ６．素子基板、
６ａ．第２透光性基板（第２基板）、  ７．柱状スペーサ、  ９．液晶層、
１１．ＬＥＤ、  １２．導光体、  １５ａ．第１偏光板（第１偏光層）、
１５ｂ．第２偏光板（第２偏光層）、  １８．ゲート線、  １８ａ．ゲート電極、
１９．ゲート絶縁膜、  ２０．ソース線、  ２１．共通線、  ２２．ＴＦＴ素子、
２３．半導体膜、  ２５．ソース電極、  ２６．ドレイン電極、
２９．パシベーション膜、  ３２．共通電極、  ３４．画素電極、
３４ａ．帯状画素電極、  ３５ａ，３５ｂ．配向膜、  ３６．スルーホール、
３９．第２（λ／４）板（第２位相差層）、  ４０．導電層、
４１．第１（λ／４）板（第１位相差層）、  ４２．導電手段、  ４４．着色膜、
４５．遮光膜、  ４６．オーバーコート層、  ４９．張出し部、  ５０．配線、
５１．外部接続用端子、  ５２．ＡＣＦ、  ５３．駆動用ＩＣ、  ６１．液晶装置、
１０１．液晶装置、  １０２．制御回路、  １０３．液晶パネル、  １０４．駆動回路、
１１０．携帯電話機（電子機器）、  １１３．表示装置、  １１５．表示画面、
１２０．カーナビゲーション装置（電子機器）、  １２３．表示装置、
Ｄ０．電極間隔、  Ｄ１．液晶層厚、  Ｅ．横斜め電界、  Ｌ１，Ｌ３．光、
Ｐｘ．サブ画素、  Ｖ．表示領域
【図１】
2008083492.tif 000003
【図２】
2008083492.tif 000004
【図３】
2008083492.tif 000005
【図４】
2008083492.tif 000006
【図５】
2008083492.tif 000007
【図６】
2008083492.tif 000008
【図７】
2008083492.tif 000009
【図８】
2008083492.tif 000010
【図９】
2008083492.tif 000011
【図１０】
2008083492.tif 000012